(57)【要約】【課題】  安価で省スペースを図りながら、素早い倍率変更を可能とする。【解決手段】  装置本体２と、対物レンズ３と、該対物レンズ３を装置本体２に対して着脱可能に装着する対物レンズ装着機構４とを備え、該対物レンズ装着機構４が、対物レンズ３の先端３ａを光軸Ｃ方向に進退させる対物レンズ進退機構５と、対物レンズ３の先端３ａが光軸Ｃ方向に後退した状態で、対物レンズ３を装置本体２に対して着脱させる着脱機構６とを備える光学機器装置１を提供する。【選択図】    図１
2006301015.tif 000002
【特許請求の範囲】
【請求項１】
装置本体と、対物レンズと、該対物レンズを前記装置本体に対して着脱可能に装着する対物レンズ装着機構とを備え、
該対物レンズ装着機構が、前記対物レンズの先端を光軸方向に進退させる対物レンズ進退機構と、対物レンズの先端が光軸方向に後退した状態で、対物レンズを装置本体に対して着脱させる着脱機構とを備える光学機器装置。
【請求項２】
前記対物レンズ進退機構が、装置本体側または対物レンズ側のいずれかに設けられた伸縮機構により構成されている請求項１に記載の光学機器装置。
【請求項３】
前記対物レンズ進退機構により前記対物レンズの先端を光軸方向に後退させた状態で、対物レンズの基端側において光軸方向に略直交する軸線回りに対物レンズを回転させる回転機構を備える請求項１または請求項２に記載の光学機器装置。
【請求項４】
前記対物レンズ進退機構が、装置本体または対物レンズのいずれか一方に光軸方向に沿って設けられた蟻溝と、装置本体または対物レンズの他方に設けられ蟻溝に沿って移動可能に係合する蟻ほぞとを備え、
前記着脱機構が、対物レンズの後退位置において蟻ほぞとの係合を解除するよう蟻溝に形成された切欠により構成されている請求項１に記載の光学機器装置。
【請求項５】
前記着脱機構が、装置本体または対物レンズのいずれか一方に光軸方向に交差する方向に沿って設けられた蟻溝と、装置本体または対物レンズの他方に設けられ蟻溝に沿って移動可能に係合する蟻ほぞとを備える請求項１または請求項２に記載の光学機器装置。
【発明の詳細な説明】
【技術分野】
【０００１】
本発明は対物レンズを使用する顕微鏡観察装置等の光学機器装置に関するものである。
【背景技術】
【０００２】
従来、顕微鏡観察装置としては、例えば、特許文献１に示される構造のものが知られている。
この顕微鏡観察装置は、倍率の異なる複数の対物レンズを交換可能に搭載するレボルバを備えている。顕微鏡観察装置による観察は、通常、低倍率の対物レンズで標本を広範囲で観察しながら、焦準機構を用いてピントを合わせ、詳細に見たい箇所を観察像の中心に合わせた後に、レボルバを操作して対物レンズを高倍率のものに交換することにより行われる。
【特許文献１】特開平４−４５２７９号公報
【発明の開示】
【発明が解決しようとする課題】
【０００３】
しかしながら、マウスのような実験動物等の生体の体内を生きたまま(in vivo)観察する場合においては、対物レンズの先端を生体の体内に挿入して観察を行う必要がある。このため、対物レンズを倍率の異なるものに交換する場合、対物レンズの先端部を生体の体内から引き抜いてから交換しなければならない。そして、交換後は、再び焦準機構にて対物レンズを元の位置に戻すことにより観察が続行される。
【０００４】
この場合において、従来のように、対物レンズの交換をレボルバによって行う場合には、倍率を変更するたびに、レボルバを回転させても対物レンズが標本に干渉しない位置まで、焦準機構によって対物レンズを十分に後退させる作業が必要である。焦準機構が電動の場合には、倍率変更前の対物レンズの位置に正確に戻すことができるが、短い時間で動かすためには、強力な駆動モータが必要であり、安価で省スペースを必要とする装置に搭載することは困難である。また、電動でない場合、手動ですばやく動かすことも可能であるが正確にもとの位置に戻すことはできないという問題がある。
【０００５】
本発明は、上述した事情に鑑みてなされたものであって、安価で省スペースを図りながら、素早い倍率変更を行うことができる光学機器装置を提供することを目的とする。
【課題を解決するための手段】
【０００６】
上記目的を達成するために、本発明は以下の手段を提供する。
本発明は、装置本体と、対物レンズと、該対物レンズを前記装置本体に対して着脱可能に装着する対物レンズ装着機構とを備え、該対物レンズ装着機構が、前記対物レンズの先端を光軸方向に進退させる対物レンズ進退機構と、対物レンズの先端が光軸方向に後退した状態で、対物レンズを装置本体に対して着脱させる着脱機構とを備える光学機器装置を提供する。
【０００７】
本発明によれば、装置本体から対物レンズを取り外すときに、対物レンズ装着機構を作動させる。これにより、対物レンズ進退機構によって対物レンズの先端が光軸方向に後退させられる。この状態で着脱機構を作動させることにより、対物レンズを装置本体から取り外すことができる。また、装置本体に対物レンズを取り付けるときには、対物レンズ装着機構を作動させ、着脱機構によって対物レンズを装置本体に取り付けた後に、対物レンズ進退機構によって対物レンズの先端を光軸方向に前進させる。これにより、交換前後において対物レンズの先端位置を同一位置に配置することができる。
【０００８】
この場合において、本発明によれば、対物レンズの着脱時に対物レンズ進退機構によって対物レンズの先端を光軸方向に進退させるので、対物レンズの先端を標本の内部に挿入した状態で観察しても、着脱時には標本の外部に退避させた状態で着脱することができる。したがって、着脱に際して焦準装置を操作する必要がなく、簡易な構成で省スペースを図りながら、着脱前後の対物レンズを同一位置に配置することができる。
【０００９】
上記発明においては、前記対物レンズ進退機構が、装置本体側または対物レンズ側のいずれかに設けられた伸縮機構により構成されていることとしてもよい。
このように構成することで、伸縮機構を伸縮させるだけで対物レンズの先端を光軸方向に進退させることができる。
【００１０】
また、上記発明においては、前記対物レンズ進退機構により前記対物レンズの先端を光軸方向に後退させた状態で、対物レンズの基端側において光軸方向に略直交する軸線回りに対物レンズを回転させる回転機構を備えることとしてもよい。
このように構成することで、回転機構の作動により対物レンズを光軸方向に略直交する軸線回りに回転させることができる。これにより、対物レンズの着脱に際して、対物レンズを標本から十分に退避させた状態で着脱することができる。
【００１１】
さらに、上記発明においては、前記対物レンズ進退機構が、装置本体または対物レンズのいずれか一方に光軸方向に沿って設けられた蟻溝と、装置本体または対物レンズの他方に設けられ蟻溝に沿って移動可能に係合する蟻ほぞとを備え、前記着脱機構が、対物レンズの後退位置において蟻ほぞとの係合を解除するよう蟻溝に形成された切欠により構成されていることとしてもよい。
【００１２】
このように構成することで、蟻ほぞを蟻溝に沿って移動させることにより、対物レンズを装置本体に対して光軸方向に移動させ、蟻ほぞを蟻溝に形成された切欠に合わせることにより、蟻ほぞと蟻溝との係合を切り離して、対物レンズを装置本体から分離することができる。
【００１３】
また、上記発明においては、前記着脱機構が、装置本体または対物レンズのいずれか一方に光軸方向に交差する方向に沿って設けられた蟻溝と、装置本体または対物レンズの他方に設けられ蟻溝に沿って移動可能に係合する蟻ほぞとを備えることとしてもよい。
【００１４】
このように構成することで、蟻溝に沿って蟻ほぞを移動させることにより、対物レンズを装置本体に対して簡易に着脱することができる。この場合に、光軸に沿って斜めに移動可能とすることにより、対物レンズを装置本体に対して光軸方向に進退させながら着脱することができる。また、光軸に直交する方向に移動可能とする場合には、対物レンズ進退機構により対物レンズの先端を後退させた状態で光軸に直交する方向に移動させて、装置本体から対物レンズを切り離すことができる。
【発明の効果】
【００１５】
本発明によれば、安価で省スペースを図りながら、素早い倍率変更を行うことができるという効果を奏する。
【発明を実施するための最良の形態】
【００１６】
以下、本発明の第１の実施形態に係る光学機器装置１について、図１〜図４を参照して説明する。
本実施形態に係る光学機器装置１は、顕微鏡観察装置（以下、顕微鏡観察装置１と言う。）であって、図１に示されるように、顕微鏡本体（装置本体）２と、対物レンズ３と、対物レンズ装着機構４とを備えている。
【００１７】
顕微鏡本体２には、図示しないが、光源装置から励起光を導く光ファイバが接続されている。顕微鏡本体２の内部には光ファイバから出射された励起光を集光し、略平行光に変換するためのコリメートユニットおよび略平行光となった励起光を２次元的に走査する光走査部、該光走査部により走査された励起光を集光して中間像を結像させる瞳投影レンズユニット、中間像を結像した励起光を集光して略平行光にする結像レンズユニットが備えられている。また、顕微鏡本体２の外部には、対物レンズ３を介して集光された標本Ａ（図２参照）からの蛍光を検出する光検出器が備えられており、該光検出器は光ファイバによって顕微鏡本体２に接続されている。また、光検出器により検出された蛍光に基づいて構成された蛍光画像を表示するモニタが備えられている。
【００１８】
これにより、光源装置から伝播されてきた励起光を２次元的に走査して対物レンズ３に入射させ、対物レンズ３の先端３ａから２次元的に走査される励起光を出射させるようになっている。また、対物レンズ３を介して集光された標本Ａからの蛍光を光検出器により検出し、蛍光画像がモニタに表示されるようになっている。
また、顕微鏡本体２は、図示しない焦準機構を備えたアームに取り付けられており、焦準機構の作動により可動範囲内の任意の位置、方向に固定できるようになっている。
【００１９】
前記対物レンズ３は、先端３ａを標本Ａである生体の体内に、小さい侵襲で挿入可能な細径先端部３ｂを備えている。
また、対物レンズ装着機構４は、対物レンズ３の先端３ａをその光軸Ｃ方向に進退させる対物レンズ進退機構５と、対物レンズ３の先端３ａが光軸Ｃ方向に後退した状態で、対物レンズ３を顕微鏡本体２に対して着脱させる着脱機構６とを備えている。
【００２０】
前記対物レンズ進退機構５は、顕微鏡本体２側に固定された蟻ほぞ５ａと、対物レンズ３に固定された蟻溝５ｂとを備えている。蟻溝５ｂには、対物レンズ３の先端３ａが最も前進させられたときに蟻ほぞ５ａの端面に突き当たるストッパ７と、蟻溝５ｂへの蟻ほぞ５ａの嵌め合い時の隙間による両者の位置ズレを防止するように、蟻溝５ｂ内面に蟻ほぞ５ａの外面を押し付けるプランジャ８とが設けられている。
【００２１】
蟻溝５ｂは、光軸Ｃに略平行な方向に沿って延びており、該蟻溝５ｂに嵌め合う蟻ほぞ５ａを蟻溝５ｂに沿って光軸Ｃ方向に案内するようになっている。蟻ほぞ５ａに沿って移動可能な蟻溝５ｂの移動距離は、標本Ａの凹部Ａ１内への対物レンズ３の挿入深さよりも長く設定されている。
【００２２】
前記着脱機構６は、蟻溝５ｂの対物レンズ３の先端３ａ側に設けられた切欠（以下、切欠６とも言う。）により構成されている。蟻溝５ｂに係合した蟻ほぞ５ａが、蟻溝５ｂに沿って対物レンズ３の先端３ａ側に相対的に移動させられると、蟻溝５ｂの先端側に設けた切欠６に一致した位置で蟻溝５ｂとの係合が外れ、顕微鏡本体２に対して対物レンズ３を光軸Ｃに直交する方向に取り外すことができるようになっている。
【００２３】
このように構成された本実施形態に係る顕微鏡観察装置１の作用について以下に説明する。
本実施形態に係る顕微鏡観察装置１を用いて標本Ａを観察するには、対物レンズ装着機構４により顕微鏡本体２に低い倍率の対物レンズ３を装着し、焦準機構を作動させて、対物レンズ３を光軸Ｃ方向に前進させ、図２に示されるように、該対物レンズ３の先端３ａを標本Ａ（図は半断面）の凹部Ａ１内に挿入して観察状態とする。
【００２４】
この状態で、光源装置から励起光を供給することにより、励起光が顕微鏡本体２内において２次元的に走査されて対物レンズ３の先端３ａから標本Ａに向けて出射される。標本Ａにおいては、励起光が照射されることにより、蛍光物質が励起されて蛍光が発せられる。発生した蛍光は、対物レンズ３によって集められ、逆の経路を辿って外部の光検出器によって検出され、モニタに表示される。観察者はモニタ表示を確認しながら、焦準機構を操作して、対物レンズ３の中心を観察位置に一致させ、その状態で焦準機構を固定する。
【００２５】
さらに高い倍率で観察を行いたい場合には、焦準機構を固定したままで、対物レンズ装着機構４を作動させる。具体的には、図３に矢印Ｚで示されるように、顕微鏡本体２に設けた蟻ほぞ５ａに対して対物レンズ３に設けた蟻溝５ｂを光軸Ｃ方向に沿って移動させる。これにより、対物レンズ３の先端３ａが、標本Ａの凹部Ａ１から外れるまで光軸Ｃ方向に後退させられる。
【００２６】
そして、蟻ほぞ５ａに対して蟻溝５ｂが所定距離だけ移動させられると、蟻溝５ｂに設けた切欠６が蟻ほぞ５ａに一致することにより、蟻溝５ｂと蟻ほぞ５ａとの係合状態が外れる。これにより、蟻ほぞ５ａに対して蟻溝５ｂを光軸Ｃに交差する方向に移動させることが可能となる。したがって、図４に示されるように、先端３ａが標本Ａの凹部Ａ１から外れた対物レンズ３を光軸Ｃに交差する方向に移動させて、対物レンズ３を顕微鏡本体２から容易に取り外すことができる。
【００２７】
次いで、倍率の高い対物レンズ３を用意し、該対物レンズ３に設けた蟻溝５ｂの切欠６を顕微鏡本体２側の蟻ほぞ５ａに位置合わせして、対物レンズ３の光軸Ｃと顕微鏡本体２の光軸Ｃとを一致させる。この状態で、蟻ほぞ５ａに対して蟻溝５ｂを光軸Ｃ方向に前進させることにより、蟻ほぞ５ａと蟻溝５ｂとを係合させ、対物レンズ３の先端３ａを標本Ａの凹部Ａ１内に挿入することができる。そして、蟻溝５ｂに設けたストッパ７が蟻ほぞ５ａの端面に突き当たる位置まで対物レンズ３を前進させることにより、高倍率の対物レンズ３の先端３ａを、交換前に低倍率の対物レンズ３の先端３ａが存在した位置に配置することができる。
【００２８】
このように、本実施形態に係る顕微鏡観察装置１によれば、対物レンズ３の着脱動作の一部が、標本Ａの凹部Ａ１からの対物レンズ３の挿脱を兼ねているため、作業効率が良いという利点がある。また、複雑な機構を必要としないため、標本Ａ周りの空間的な制約が少なく、安価で省スペースを可能とする製品を提供できる。
【００２９】
なお、本実施形態においては、光学機器装置として顕微鏡観察装置１を例示したが、これに代えて、対物レンズ３を使用する任意の光学機器装置を採用してもよい。また、対物レンズ３の着脱機構６は、対物レンズ３の偏心、同焦ズレを抑えられるものであればよく、本実施形態の構造に限られるものではない。また、顕微鏡本体２に蟻ほぞ５ａを設け、対物レンズ３に蟻溝５ｂを設けたが、これに代えて、顕微鏡本体２に蟻溝５ｂを設け、対物レンズ３に蟻ほぞ５ａを設けることにしてもよい。また、対物レンズ３として従来の対物レンズ３を利用する場合は、ＲＭＳネジの取り付けアダプタを設けることで対応してもよい。
【００３０】
また、本実施形態においては、顕微鏡本体２と対物レンズ３との間に隙間が形成されているものを例示したが、これに代えて、隙間があることで観察に支障がある場合には、隙間を覆うような遮光部材を設けてもよい。
【００３１】
次に、本発明の第２の実施形態に係る顕微鏡観察装置１０について、図５および図６を参照して以下に説明する。
なお、本実施形態の説明において、上述した第１の実施形態に係る顕微鏡観察装置１と構成を共通とする箇所には同一符号を付して説明を省略する。
【００３２】
本実施形態に係る顕微鏡観察装置１０においては、図５に示されるように、蟻ほぞ１１ａと蟻溝１１ｂとからなる対物レンズ装着機構１１を備えている。しかしながら、第１の実施形態とは異なり、顕微鏡本体２側に設けられた蟻ほぞ１１ａは、光軸Ｃに対して斜めに交差する方向に沿って配置されている。また、対物レンズ３に設けられた蟻溝１１ｂも、対物レンズ３の光軸Ｃに対して斜めに交差する方向に沿って配置されている。これにより、蟻ほぞ１１ａと蟻溝１１ｂとによって、対物レンズ進退機構と着脱機構とが同時に構成されている。
【００３３】
このように構成された本実施形態に係る顕微鏡観察装置１０の作用について、以下に説明する。
本実施形態に係る顕微鏡観察装置１０を用いて標本Ａに設けられた凹部Ａ１の内部を観察するには、図５に示されるように、顕微鏡本体２に設けられた蟻ほぞ１１ａに対物レンズ３の蟻溝１１ｂを係合させ、蟻溝１１ｂに設けられたストッパ７が蟻ほぞ１１ａの端面に突き当たる位置まで前進させる。これにより、顕微鏡本体２側の光軸Ｃと対物レンズ３の光軸Ｃとが一直線上に配置された位置で固定される。蟻ほぞ１１ａと蟻溝１１ｂとの嵌合い隙間は、プランジャ８によって位置ずれしないように押し付けられている。
【００３４】
この状態で、対物レンズ３を異なる倍率のものに変更する場合には、図５に矢印Ｂで示す方向に、対物レンズ３を移動させる。すなわち、蟻ほぞ１１ａに沿って蟻溝１１ｂを移動させることにより、対物レンズ３が、その先端３ａを標本Ａの凹部Ａ１から退避させる方向に後退させられつつ、光軸Ｃに対して斜めに交差する方向に移動させられる。ここで、前記蟻ほぞ１１ａおよび蟻溝１１ｂの光軸Ｃに対する傾斜角度を十分に小さく設定しておくことにより、標本Ａの凹部Ａ１から対物レンズ３の先端３ａを待避させる際に、対物レンズ３の先端３ａが標本Ａに干渉しないようにすることができる。そして、所定距離だけ相対移動させられた後に、蟻ほぞ１１ａと蟻溝１１ｂとの係合が外れて、対物レンズ３が顕微鏡本体２から切り離されることになる。
【００３５】
次いで、異なる倍率の対物レンズ３の蟻溝１１ｂを顕微鏡本体２の蟻ほぞ１１ａに係合させて、ストッパ７が蟻ほぞ１１ａの端面に突き当たるまで、蟻ほぞ１１ａに沿って、矢印Ｂ′に示す方向に、光軸Ｃに対し斜めに移動させるだけで、対物レンズ３の光軸Ｃを顕微鏡本体２の光軸Ｃに一致する位置に配置し、かつ、対物レンズ３の先端３ａを標本Ａの凹部Ａ１内に挿入配置することができる。
【００３６】
このように、本実施形態に係る顕微鏡観察装置１０によれば、蟻ほぞ１１ａに沿って蟻溝１１ｂを移動させるだけで、対物レンズ３を顕微鏡本体２に対して着脱でき、また、標本Ａの凹部Ａ１内に対物レンズ３の先端３ａを進退させることができる。したがって、対物レンズ３の取り外し時には、簡単な操作で、標本Ａの凹部Ａ１からの対物レンズ３の抜き出しと顕微鏡本体２からの取り外しを行うことができる。また、対物レンズ３の取付時には、簡単な操作で、顕微鏡本体２への取り付けを行うことができ、また、対物レンズ３の先端３ａの標本Ａの凹部Ａ１への挿入を容易に行うことができる。
【００３７】
この場合に、対物レンズ３の周りに対物レンズ３の交換のための多くのスペースを必要とせず、省スペースを図ることができる。また、対物レンズ３の交換時にストッパ７を蟻ほぞ１１ａに突き当てることで、高い再現性で光軸Ｃを一致させた状態に設定し直すことができ、倍率を変えても標本Ａの目標位置を見失うことがないという利点がある。
【００３８】
また、本実施形態に係る顕微鏡観察装置１０によれば、顕微鏡本体２と対物レンズ３とに設けられた対物レンズ装着機構１１によって、顕微鏡本体２と対物レンズ３との間に隙間が形成されないので、励起光が外部に漏れることがなく好ましい。
【００３９】
次に、本発明の第３の実施形態に係る顕微鏡観察装置２０について、図７および図８を参照して、以下に説明する。
なお、本実施形態の説明において、上述した第１の実施形態に係る顕微鏡観察装置１と構成を共通とする箇所には同一符号を付して説明を省略する。
【００４０】
本実施形態に係る顕微鏡観察装置２０は、顕微鏡本体２側に設けられた伸縮機構２１と、顕微鏡本体２に対して対物レンズ３を着脱する着脱機構２２とを備えている。
伸縮機構２１は、顕微鏡本体２側に設けられた鏡筒２３に光軸Ｃ方向に移動可能に設けられた筒体２４と、該筒体２４と鏡筒２３との間に挟まれ鏡筒２３に対して筒体２４を光軸Ｃ方向に前進する方向に常時付勢する図示しないスプリングとを備えている。
前記着脱機構２２は、筒体２４の前端に設けられ、光軸Ｃに直交する方向に延びる蟻ほぞ２２ａと、対物レンズ３の後端に設けられ、前記蟻ほぞ２２ａに係合する蟻溝２２ｂとから構成されている。
【００４１】
このように構成された本実施形態に係る顕微鏡観察装置２０によれば、顕微鏡本体２の蟻ほぞ２２ａに対物レンズ３の蟻溝２２ｂを係合させ、蟻溝２２ｂのストッパ７が蟻ほぞ２２ａの端面に突き当たる位置に配置することにより、顕微鏡本体２の鏡筒２３の光軸Ｃと対物レンズ３の光軸Ｃとが一直線上に配置された状態に固定される。
【００４２】
また、伸縮機構２１はスプリングによって、対物レンズ３を前方に付勢しているので、解放された状態で、対物レンズ３の先端３ａを最も前進させた位置に保持する。この状態で、焦準機構を作動させて対物レンズ３の先端３ａを標本Ａの凹部Ａ１内に挿入して凹部Ａ１の内部を観察することができる。
【００４３】
次いで、対物レンズ３を倍率の異なるものに交換する場合には、伸縮機構２１の作動により、顕微鏡本体２の鏡筒２３に対して筒体２４をスプリングの付勢力に抗して後退させる。これにより、対物レンズ３の先端３ａが標本Ａの凹部Ａ１から抜き出された位置に配置されるので、着脱機構２２を作動させ、顕微鏡本体２から対物レンズ３を取り外す。具体的には、顕微鏡本体２側の蟻ほぞ２２ａに対して対物レンズ３の蟻溝２２ｂを水平方向に移動させる。伸縮機構２１の作動によって対物レンズ３の先端３ａが標本Ａの凹部Ａ１から外側に抜き出されているので、対物レンズ３を水平方向に移動しても対物レンズ３の先端３ａが標本Ａに干渉することなく移動させられる。これにより、簡易に対物レンズ３を取り外すことができる。
【００４４】
また、対物レンズ３を装着する際には、伸縮機構２１を縮めた状態に保持して新たな対物レンズ３の蟻溝２２ｂを筒体２４の蟻ほぞ２２ａに係合させる。そして、ストッパ７が突き当たるまで、蟻ほぞ２２ａに沿って蟻溝２２ｂを水平移動させることにより、顕微鏡本体２の光軸Ｃと対物レンズ３の光軸Ｃとを一致させる。この状態で、伸縮機構２１を解放することにより、スプリングの付勢力によって対物レンズ３が前進させられ、その先端３ａが標本Ａの凹部Ａ１内に挿入される。この場合においても、対物レンズ３の先端３ａが標本Ａに干渉することなく凹部Ａ１内に挿入される。また、交換前の対物レンズ３の先端３ａ位置と同一位置に交換後の対物レンズ３の先端３ａを配置することができ、観察対象を見失うことなく、倍率を変更した観察を行うことができる。
【００４５】
なお、本実施形態においては、伸縮機構２１を顕微鏡本体２側に設けることとしたが、これに代えて、図９に示されるように、対物レンズ３側に設けることにしてもよい。
また、伸縮機構２１としては、常時伸張状態に付勢され、対物レンズ３の着脱時には、手でスプリングを圧縮して収縮状態に保持するものの他、収縮状態に保持する保持機構（図示略）、保持機構による保持を解除する解除機構（図示略）とを備えることとしてもよい。
【００４６】
また、本実施形態においても、対物レンズ３を使用する光学機器装置であれば、顕微鏡観察装置２０に限定されるものではない。また、対物レンズ３の着脱機構２２は、対物レンズ３の偏心、同焦ズレを抑えられるものであれば、上記形態に限られない。さらに、伸縮機構２１は、スプリングを用いたものに限定されるものではなく、カム溝を用いた回転機構等でもよい。
【００４７】
次に、本発明の第４の実施形態に係る顕微鏡観察装置３０について、図１０および図１１を参照して以下に説明する。
なお、本実施形態の説明において、上述した第３の実施形態に係る顕微鏡観察装置２０と構成を共通とする箇所には同一符号を付して説明を省略する。
【００４８】
本実施形態に係る顕微鏡観察装置３０は、第３の実施形態に係る顕微鏡観察装置２０が、着脱機構２２として蟻ほぞ２２ａと蟻溝２２ｂとを備えていたのに対して、顕微鏡本体２側に設けられ嵌合孔３１ａを備える筒状部３１と、対物レンズ３に設けられ前記筒状部３１の嵌合孔３１ａに嵌合させられる嵌合軸３２と、前記筒状部３１を顕微鏡本体２に対して光軸Ｃに直交する軸線Ｃ１周りに揺動可能に支持する揺動機構３３とからなる着脱機構３４を備えている点において相違している。
【００４９】
筒状部３１には半径方向内方に突出可能なプランジャ８が備えられ、嵌合軸３２のプランジャ８に対応する位置には、図１１に示されるように、プランジャ８の係合により、対物レンズ３を筒状部３１に係合状態に保持するためのＶ字溝３５が設けられている。
揺動機構３３は、顕微鏡本体２に備えられたブラケット３６に対し、前記筒状部３１を揺動可能に支持している。また、筒状部３１には、第３の実施形態と同様の伸縮機構２１が備えられている。
【００５０】
このように構成された本実施形態に係る顕微鏡観察装置３０によれば、筒状部３１の嵌合孔３１ａに嵌合軸３２を嵌合させてプランジャ８をＶ字溝３５に係合させることにより、筒状部３１に対物レンズ３が取り付け状態に保持される。図１０に示されるように、ブラケット３６に対して筒状部３１を揺動させ、顕微鏡本体２の光軸Ｃと筒状部３１および対物レンズ３の光軸Ｃとを一直線上に配置する。そして、伸縮機構２１を解放して伸張させ、この状態で、焦準機構を作動させて対物レンズ３の先端３ａを標本Ａの凹部Ａ１内に挿入する。これにより、凹部Ａ１内の観察が可能となる。
【００５１】
次に、対物レンズ３を、異なる倍率の対物レンズ３に交換するには、筒状部３１に設けられた伸縮機構２１を縮める方向に押圧することにより、スプリングの付勢力に抗して対物レンズ３の先端３ａが後退させられる。これにより、対物レンズ３の先端３ａが標本Ａの凹部Ａ１から抜き出される。
【００５２】
この状態で、揺動機構３３を作動させて、ブラケット３６に対して筒状部３１および対物レンズ３を揺動させる。筒状部３１はブラケット３６に、光軸Ｃに直交する軸線Ｃ１回りに回転可能に支持されているので、対物レンズ３が光軸Ｃに直交する軸線Ｃ１回りに揺動させられて、図１１に示されるように、先端３ａが標本Ａから遠ざかる方向に移動させられる。この後に、嵌合軸３２と筒状部３１の嵌合孔３１ａとの嵌合を切り離すことにより、対物レンズ３が顕微鏡本体２から取り外される。
【００５３】
そして、倍率の異なる対物レンズ３を取り付けるには、逆の手順で、対物レンズ３の嵌合軸３２を筒状部３１の嵌合孔３１ａに嵌合させ、ブラケット３６に対して筒状部３１を揺動させて、顕微鏡本体２の光軸Ｃと対物レンズ３の光軸Ｃとを一直線上に配置した後に、伸縮機構２１を伸張させることにより、対物レンズ３の先端３ａを標本Ａの凹部Ａ１内に挿入する。これにより、対物レンズ３の先端３ａを交換前の対物レンズ３の先端３ａ位置と一致する位置に配置することができる。
【００５４】
このように、本実施形態に係る顕微鏡観察装置３０によれば、着脱機構３４を、筒状部３１の嵌合孔３１ａに対物レンズ３の嵌合軸３２を嵌合させるだけの非常に簡易な構成とすることができるため、対物レンズ３周りの寸法を小さく抑えて、観察時の標本Ａ周りのスペースを広く確保することができるという利点がある。
【図面の簡単な説明】
【００５５】
【図１】本発明の第１の実施形態に係る顕微鏡観察装置を示す斜視図である。
【図２】図１の顕微鏡観察装置による標本の観察状態を示す斜視図である。
【図３】図１の顕微鏡観察装置の対物レンズを光軸方向に沿って後退させた状態を示す斜視図である。
【図４】図１の顕微鏡観察装置において対物レンズを取り外した状態を示す斜視図である。
【図５】本発明の第２の実施形態に係る顕微鏡観察装置であって、標本の観察状態を示す斜視図である。
【図６】図５の顕微鏡観察装置において対物レンズを取り外した状態を示す斜視図である。
【図７】本発明の第３の実施形態に係る顕微鏡観察装置であって、標本の観察状態を示す斜視図である。
【図８】図７の顕微鏡観察装置において対物レンズを取り外した状態を示す斜視図である。
【図９】図７の顕微鏡観察装置の変形例を示す斜視図である。
【図１０】本発明の第４の実施形態に係る顕微鏡観察装置であって、標本の観察状態を示す斜視図である。
【図１１】図１０の顕微鏡観察装置において対物レンズを取り外した状態を示す斜視図である。
【符号の説明】
【００５６】
Ｃ  光軸
Ｃ１  軸線
１，１０，２０，３０  顕微鏡観察装置（光学機器装置）
２  顕微鏡本体（装置本体）
３  対物レンズ
３ａ  先端
４  対物レンズ装着機構
５  対物レンズ進退機構
５ａ，１１ａ，２２ａ  蟻ほぞ
５ｂ，１１ｂ，２２ｂ  蟻溝
６  切欠（着脱機構）
２１  伸縮機構(対物レンズ進退機構）
２２，３４  着脱機構
３３  回転機構
【図１】
2006301015.tif 000003
【図２】
2006301015.tif 000004
【図３】
2006301015.tif 000005
【図４】
2006301015.tif 000006
【図５】
2006301015.tif 000007
【図６】
2006301015.tif 000008
【図７】
2006301015.tif 000009
【図８】
2006301015.tif 000010
【図９】
2006301015.tif 000011
【図１０】
2006301015.tif 000012
【図１１】
2006301015.tif 000013